(57)【要約】【課題】使用済みの翼付針を操作性良く、かつ、安全に回収するための採血針回収装置、および、かかる採血針回収装置を備える採血ベッドを提供すること。【解決手段】採血針回収装置１は、先端に翼付針２００を備えるチューブ１００を切断して翼付針２００を含む切断されたチューブ１００の先端部を廃棄物４００として回収する装置であり、翼付針２００の翼３００を係止する係止部６と、チューブ１００をその途中で切断するシールヘッド（切断部）７と、チューブ１００を装着することによりオン状態となりシールヘッド７を作動させるスイッチ部８と、係止部６より下方に設けられ、廃棄物４００を回収する廃棄容器（回収部）１０とを有し、翼３００を係止部６に係止した状態でチューブ１００をスイッチ部８に装着してシールヘッド７を作動させ、これによりチューブ１００の途中を切断し、自重により落下する廃棄物４００を廃棄容器１０に回収する。【選択図】図１
2007044443.tif 000002
【特許請求の範囲】
【請求項１】
先端に翼付針または穿刺針を備えるチューブを切断して、前記翼付針または穿刺針を含む切断された前記チューブの先端部を廃棄物として回収する採血針回収装置であって、
前記翼付針の翼または穿刺針のハブを係止する係止部と、
前記チューブを、その途中で切断する切断部と、
前記チューブを装着することによりオン状態となり、前記切断部を作動させるスイッチ部と、
前記係止部より下方に設けられ、前記廃棄物を回収する回収部とを有し、
前記翼付針の翼または穿刺針のハブを前記係止部に係止した状態で、前記チューブを前記スイッチ部に装着して前記切断部を作動させ、これにより、前記チューブの途中を切断し、自重により落下する前記廃棄物を前記回収部に回収するように構成されていることを特徴とする採血針回収装置。
【請求項２】
前記スイッチ部は、スイッチ本体と、該スイッチ本体に前記チューブを案内する案内部とを備える請求項１に記載の採血針回収装置。
【請求項３】
前記チューブを挿入する開口部が形成されたケーシングを有し、
該ケーシング内に、少なくとも前記係止部および前記切断部が設けられている請求項１または２に記載の採血針回収装置。
【請求項４】
前記ケーシング内には、前記開口部近傍から内部下方に向かって傾斜する傾斜面が設けられており、
該傾斜面には、その前記開口部と反対側の端部に前記係止部が設けられ、その途中に前記切断部が設けられている請求項３に記載の採血針回収装置。
【請求項５】
前記ケーシング内の前記開口部付近に、前記スイッチ部が設けられている請求項３または４に記載の採血針回収装置。
【請求項６】
前記回収部は、前記ケーシングに出し入れ自在に設けられ、上部に開口を有する容器を備える請求項３ないし５のいずれかに記載の採血針回収装置。
【請求項７】
前記容器は、所定数の前記廃棄物を回収した後、前記ケーシングから取り出され、前記開口を蓋で塞いだ状態で廃棄に供される請求項６に記載の採血針回収装置。
【請求項８】
前記開口は、前記容器に装着された前記蓋の一部を取り去ることにより形成され、この状態で、前記容器は、前記ケーシング内に収納されている請求項７に記載の採血針回収装置。
【請求項９】
さらに、前記翼付針または穿刺針の針先を加熱する加熱手段を有する請求項１ないし８のいずれかに記載の採血針回収装置。
【請求項１０】
前記加熱手段による前記翼付針または穿刺針の針先の加熱と、前記切断部による前記チューブの切断とが同期的に行われるように構成されている請求項９に記載の採血針回収装置。
【請求項１１】
請求項１ないし１０のいずれかに記載の採血針回収装置を備え、
該採血針回収装置の作動に必要な電力を供給するように構成されていることを特徴とする採血ベッド。
【請求項１２】
当該採血ベッドは、ドナーが腕を置く腕置き台を備え、
該腕置き台の下方に前記採血針回収装置が設けられている請求項１１に記載の採血ベッド。
【発明の詳細な説明】
【技術分野】
【０００１】
本発明は、採血針回収装置および採血ベッドに関するものである。
【背景技術】
【０００２】
輸血や自己血保存等に用いる血液や血液成分は、一般に、採血バッグを用いてドナー（供血者）より採取されている。
【０００３】
このような採血バッグとしては、従来、各種の態様のものが知られているが、いずれもその先端部に穿刺針を有し、この穿刺針に接続されたチューブが、採血バッグ本体側と連通するような構成となっている。
【０００４】
さて、このような採血バックを用いた採血は、従来、以下のような一連の操作により行われていた。
【０００５】
すなわち、まず、ドナーに、例えば、採血ベッドに寝てもらい、採血を行ういずれかの腕を採血ベッドのアームまたは採血ベッド側方にある採血台上に載せてもらい、当該腕の静脈に穿刺針を穿刺することにより採血を開始する。
【０００６】
そして、所定量の血液または血液成分の採取が完了したら、ドナーの静脈より穿刺針を抜き取り、穿刺針に保護キャップを取付けて、一旦、血液バッグを回収する。
【０００７】
回収した血液バッグは、そのまま集積されるか、または、回収直後に、採血バッグのチューブの途中を、チューブシーラーでシールして、シール部分をハサミや手で引っ張って切断し、先端の穿刺針側の部分を分離廃棄するととともに、血液バッグ本体側のみを集積する。
【０００８】
しかしながら、このような採血を行う現場において、採血後において穿刺針に保護キャップを装着する作業、チューブの切断作業や廃棄ボックスへの廃棄の際に、看護師、医師等の作業者が、誤って、自らの手や指等を穿刺針で刺したり、飛散した血液飛沫で汚染されるという事故が少なからず発生し、ドナーが、例えばＡＩＤＳ、肝炎をはじめとする感染症ウィルス等の病原体のキャリアだった場合には、不幸にもこれらの感染症に感染してしまうという危険性があった。
【０００９】
このような問題を解決するものとして、使用済みの針付医療用チューブの切断装置が提案されている（例えば、特許文献１参照。）。
【００１０】
この針付医療用チューブの切断装置は、穿刺針を先にしてチューブを差し込む孔を有し、かつ該孔より穿刺針およびチューブの所定長さを収容し得る空間部を有するケーシングと、該ケーシング内に送りこまれたチューブを自動または手動により切断する切断装置からなるものである。
【００１１】
かかる針付医療用チューブの切断装置を用いれば、採血後において、使用済みの穿刺針の分離回収操作が、ある程度容易かつ安全に行うことが可能となる。
【００１２】
しかしながら、特許文献１に記載の装置では、狭い孔部に穿刺針を差し込む操作を行う必要があるが、この操作が意外と難しいうという問題や、チューブを切断する間、差し込まれたチューブが装置から抜けないように注意を払わなければならないという問題があり、改良の余地の残るものであった。
【００１３】
また、特許文献１に記載の装置は、穿刺針が翼付針である場合、実質的に用いることが不可能であり、さらに、献血車等においては、当該装置用の電源を別途確保するのが困難であるという問題もある。
【００１４】
【特許文献１】特開平１−２１８４５０公報
【発明の開示】
【発明が解決しようとする課題】
【００１５】
本発明の目的は、使用済みの翼付針を操作性良く、かつ、安全に回収するための採血針回収装置、および、かかる採血針回収装置を備える採血ベッドを提供することにある。
【課題を解決するための手段】
【００１６】
このような目的は、下記（１）〜（１２）の本発明により達成される。
（１）  先端に翼付針または穿刺針を備えるチューブを切断して、前記翼付針または穿刺針を含む切断された前記チューブの先端部を廃棄物として回収する採血針回収装置であって、
前記翼付針の翼または穿刺針のハブを係止する係止部と、
前記チューブを、その途中で切断する切断部と、
前記チューブを装着することによりオン状態となり、前記切断部を作動させるスイッチ部と、
前記係止部より下方に設けられ、前記廃棄物を回収する回収部とを有し、
前記翼付針の翼または穿刺針のハブを前記係止部に係止した状態で、前記チューブを前記スイッチ部に装着して前記切断部を作動させ、これにより、前記チューブの途中を切断し、自重により落下する前記廃棄物を前記回収部に回収するように構成されていることを特徴とする採血針回収装置。
【００１７】
（２）  前記スイッチ部は、スイッチ本体と、該スイッチ本体に前記チューブを案内する案内部とを備える上記（１）に記載の採血針回収装置。
【００１８】
（３）  前記チューブを挿入する開口部が形成されたケーシングを有し、
該ケーシング内に、少なくとも前記係止部および前記切断部が設けられている上記（１）または（２）に記載の採血針回収装置。
【００１９】
（４）  前記ケーシング内には、前記開口部近傍から内部下方に向かって傾斜する傾斜面が設けられており、
該傾斜面には、その前記開口部と反対側の端部に前記係止部が設けられ、その途中に前記切断部が設けられている上記（３）に記載の採血針回収装置。
【００２０】
（５）  前記ケーシング内の前記開口部付近に、前記スイッチ部が設けられている上記（３）または（４）に記載の採血針回収装置。
【００２１】
（６）  前記回収部は、前記ケーシングに出し入れ自在に設けられ、上部に開口を有する容器を備える上記（３）ないし（５）のいずれかに記載の採血針回収装置。
【００２２】
（７）  前記容器は、所定数の前記廃棄物を回収した後、前記ケーシングから取り出され、前記開口を蓋で塞いだ状態で廃棄に供される上記（６）に記載の採血針回収装置。
【００２３】
（８）  前記開口は、前記容器に装着された前記蓋の一部を取り去ることにより形成され、この状態で、前記容器は、前記ケーシング内に収納されている上記（７）に記載の採血針回収装置。
【００２４】
（９）  さらに、前記翼付針または穿刺針の針先を加熱する加熱手段を有する上記（１）ないし（８）のいずれかに記載の採血針回収装置。
【００２５】
（１０）  前記加熱手段による前記翼付針または穿刺針の針先の加熱と、前記切断部による前記チューブの切断とが同期的に行われるように構成されている上記（９）に記載の採血針回収装置。
【００２６】
（１１）  上記（１）ないし（１０）のいずれかに記載の採血針回収装置を備え、
該採血針回収装置の作動に必要な電力を供給するように構成されていることを特徴とする採血ベッド。
【００２７】
（１２）  当該採血ベッドは、ドナーが腕を置く腕置き台を備え、
該腕置き台の下方に前記採血針回収装置が設けられている上記（１１）に記載の採血ベッド。
【発明の効果】
【００２８】
本発明の採血針回収装置によれば、採血終了後に翼付針を廃棄する際に、この操作を作業者が片手で、容易かつ安全に行うことができる。
【００２９】
また、本発明の採血ベッドによれば、採血針回収装置が組み込まれているので、採血操作後移動することなく、翼付針の回収操作を行うことができ、また、電源を採血ベッド本体側から取るので、別途電源、バッテリーを確保しなくて済む。
【発明を実施するための最良の形態】
【００３０】
以下、本発明の採血針回収装置および採血ベッドを添付図面に示す好適な実施形態に基づいて詳細に説明する。
【００３１】
図１は、本発明の採血針回収装置の実施形態を示す一部破断斜視図、図２は、図１に示す採血針回収装置が備える廃棄容器の構成を示す斜視図、図３は、本発明の採血針回収装置の他の構成例を示す一部破断斜視図、図４は、本発明の採血ベッドの実施形態を模式的に示す斜視図である。
【００３２】
なお、以下では、図１〜図４中の上側を「上」または「上方」、下側を「下」または「下方」として説明する。
【００３３】
図１に示す採血針回収装置１は、先端に翼付針２００を備えるチューブ１００を切断して、翼付針２００を含む切断されたチューブの先端部を廃棄物４００として回収する装置であり、ケーシング２と、このケーシング２内にいずれも設けられた、係止部６と、シールヘッド（切断部）７と、スイッチ部８と、廃棄容器（回収部）１１とを有している。
【００３４】
ケーシング２は、ほぼ矩形をなしており、その所定の壁部（前壁部）には、上部に開口部３が、下部に開口部９がそれぞれ形成されている。なお、以下では、開口部３、９が形成された側を「前」または「前方」と言い、これと反対側を「後」または「後方」と言う。
【００３５】
ケーシング２内には、開口部３を介して、チューブ１００が先端側（翼付針２００側）から挿入される。また、開口部９を介して廃棄容器１０が出し入れ自在となっている。
【００３６】
開口部３の面積は、３５〜１５０ｃｍ２程度とするのが好ましく、６０〜８０ｃｍ２程度とするのがより好ましい。このように、開口部３の開口面積を十分に大きくすることにより、ケーシング２内へのチューブ１００の挿入操作をより容易かつ確実に行うことができる。その結果、翼付針２００がケーシング２に不本意に接触して、ケーシング２の外表面に血液が付着したり、周囲に血液が飛散するのを防止することができる。
【００３７】
また、ケーシング２の前壁部内面には、開口部３と開口部９との間に後方に向かって突出する載置部（支持部）４が設けられている。この載置部４の上面（載置面）４１には、開口部３を介して挿入されたチューブ１００の先端部が載置される。
【００３８】
また、この上面４１には、係止部６、シールヘッド７、スイッチ部８が設けられ、載置部４の内部には、例えば、シールヘッド７（後述する発熱体７１、押圧体７２）の駆動装置（図示せず）等が設けられている。
【００３９】
なお、本実施形態では、載置部４の幅は、開口部３の幅より大きくなっているが、チューブ１００を安定に載置でき、かつ、係止部６、シールヘッド７、スイッチ部８や駆動装置等の各部を設けることができれば、より小さなものであってもよい。
【００４０】
また、載置部４は、その厚さが途中（開口部３近傍）から、後方に向かって漸減している。これにより、上面４１の開口部３近傍から後方の部分は、ケーシング２の内部下方に向かって傾斜する傾斜面４１１となっている。
【００４１】
この傾斜面４１１の傾斜角度、すなわち、鉛直方向（図１中ｚ軸方向）に対する角度（図１中角度θ）は、６０〜８５°程度であるのが好ましく、７８〜８２°程度であるのがより好ましい。これにより、開口部３を介してチューブ１００の先端部をケーシング２の内部へより容易かつ確実に送り込むことができる。
【００４２】
なお、この傾斜角度は、傾斜面４１１の全体でほぼ等しい角度であってもよいが、例えば、後方に至るほど急峻な角度となるように、連続的または段階的に変化していてもよい。また、必要に応じて、手動または電動により傾斜角度を可変とする機構を設けるようにしてもよい。
【００４３】
また、載置部４は、その厚さがほぼ一定であって傾斜面４１１を有さない構成、すなわち、上面４１全体が鉛直方向（図１中ｚ軸方向）に対してほぼ垂直となっている構成であってもよい。
【００４４】
また、載置部４は、その全長がケーシング２の後壁部に到達しないように設定されている。すなわち、載置部４の後方端面とケーシング２の後壁部とが所定距離離間している。これにより、当該部分において、後述する廃棄容器１０の開口１１が上方に露出しており、切断されたチューブ１００の先端部（廃棄物４００）は、自重により落下し、当該部分を介して廃棄容器１０に回収される。
【００４５】
なお、当該部分において露出する廃棄容器１０の開口１１の面積は、５０〜２１０ｃｍ２程度とするのが好ましく、８０〜１２０ｃｍ２程度とするのがより好ましい。これにより、廃棄物４００とケーシング２とが干渉するのを防止して、廃棄物４００をより確実に廃棄容器１０内に回収することができる。
【００４６】
この載置部４の傾斜面４１１には、その後方端部（開口部３と反対側の端部）に係止部６が設けられ、その途中にシールヘッド７が設けられている。
【００４７】
図１に示すように、傾斜面４１１（載置部４）の後方端部には、板片６１が立設され、この板片６１の中央部には、スリット６２が形成されている。本実施形態では、スリット６２が形成された板片６１により、係止部６が構成されている。
【００４８】
また、板片６１は、その高さ方向の途中で、開口１１側に向かって折れ曲がった形状をなしており、これにより、チューブ１００の切断時に翼付針２００がスリット６２の上方から外れるのを防止することができるようになっている。
【００４９】
翼付針２００が板片６１より後方に位置するまで、チューブ１００の先端部をケーシング２内に挿入し、スリット６２内にチューブ１００を位置させた状態で、チューブ１００を採血針回収装置１の前方に向かって引っ張ると、翼付針２００の翼３００がスリット６２の縁部に係止される。
【００５０】
このスリット６２の幅は、チューブ１００の外径よりも若干大きく、かつ、係止される翼３００が、チューブ１００が引っ張られ塑性変形した場合でも、すり抜けられない程度に設定される。これにより、チューブ１００の回収操作（切断操作）をより確実に行うことができるとともに、廃棄物４００がスリット６２に保持されるのを確実に防止することもできる。
【００５１】
また、シールヘッド７は、発熱体７１と、発熱体７１に対して接近離間し得るよう設けられた押圧体７２とで構成されている。また、押圧体７２の内部には、カッター等の図示しない機械的切断手段が内蔵されている。
【００５２】
発熱体７１と、押圧体７２との間に、チューブ１００を位置させ、発熱体７１を加熱した状態で、押圧体７２を発熱体７１に接近させる。これにより、チューブ１００は、発熱体７１と押圧体７２とで挟持され、熱融着される。また、このとき、チューブ１００は、その途中で機械的切断手段により切断される。
【００５３】
なお、シールヘッド７は、発熱体７１と押圧体７２との双方が互いに接近するように構成されていてもよい。また、機械的切断手段を省略して、押圧体７２によりチューブ１００を押圧して熱融着してシール部を形成し、さらに溶融状態にあるシール部を熱により、またはチューブ１００を引っ張ることにより破断するという単純な構成とすることもできる。また、シールヘッド７は、チューブ１００を熱融着するものに限らず、超音波融着するものであってもよい。また、切断部は、機械的切断手段単独で構成することもできる。
【００５４】
また、載置部４（上面４１）の開口部３近傍には、スイッチ部８が設けられている。このスイッチ部８は、チューブ１００を装着することによりオン状態となり、シールヘッド７を作動させるように構成されている。
【００５５】
図１に示すように、本実施形態では、スイッチ部８は、チューブ１００で押圧されることによりオン状態となるマイクロスイッチ（スイッチ本体）８１と、このマイクロスイッチ８１を挟んで設けられ、チューブ１００をマイクロスイッチ８１に案内する一対の突起部（案内部）８２とを有している。
【００５６】
このような構成により、チューブ１００は、突起部８２により確実にマイクロスイッチ８１に案内されるため、マイクロスイッチ８１を確実にオン状態とすることができる。
【００５７】
また、一対の突起部８２、８２は、それらの対向面が傾斜面（テーパ面）で構成されているのが好ましい。これにより、チューブ１００をマイクロスイッチ８１により確実に案内することができる。
【００５８】
また、スイッチ部８が開口部３近傍に設けられることにより、スイッチ部８にチューブ１００を装着する操作をより確実に行うことができる。
【００５９】
なお、スイッチ本体は、マイクロスイッチ８１のように、チューブ１００で押圧されること（物理的接触）によりオン状態となるスイッチに代えて、例えば、赤外線センサ等の光学式のスイッチで構成することもできる。
【００６０】
また、補足的に、例えば、係止部６に別途、センサ等を設けておき、係止部６に翼付針２００の翼３００が確実に係止されたことを検出（検知）した後、スイッチ部８がオン状態となるように構成することもできる。
【００６１】
本実施形態では、係止部６、シールヘッド７およびスイッチ部８がほぼ一直線上に配置され、係止部６に翼付針２００の翼３００を係止した状態で、チューブ１００をスイッチ部８に装着すると、チューブ１００は、シールヘッド７の発熱体７１と押圧体７２との間に位置するように構成されている。
【００６２】
載置部４（係止部６）の下方には、廃棄容器１０が開口部９を介してケーシング２に出し入れ自在に収納されている。
【００６３】
廃棄容器１０は、上部に開口１１を有している、この開口１１を介して廃棄物４００が廃棄容器１０内に回収される。
【００６４】
そして、この廃棄容器１０は、所定数の廃棄物４００を回収した後、ケーシング２から取り出され、廃棄に供される。
【００６５】
図２（ａ）に示すように、廃棄容器１０には、上側縁部に沿って段差部１２が形成されており、この段差部１２に蓋１３が嵌合により装着し得るようになっている。
【００６６】
これにより、廃棄容器１０は、開口１１を蓋１３で塞いだ状態で廃棄に供することができるようになっている。このため、廃棄作業に際して、廃棄物４００が不本意に散逸することを防止することができる。
【００６７】
また、この廃棄容器１０には、蓋１３により開口１１を塞いだ後、再度、蓋１３を取り外すことを阻止するロック機構（蓋取り外し阻止機構）が設けられているのが好ましい。
【００６８】
このロック機構としては、例えば、折爪等を利用したラッチ機構等の各種の機構を採用することができる。
【００６９】
また、廃棄容器１０は、ケーシング２内に収納され状態で、その上部全体が開放されている必要はなく、例えば、図２（ｂ）に示すように、廃棄容器１０に装着された蓋１３の一部を取り去ることにより、開口１１が形成されていてもよい。
【００７０】
図示の構成では、蓋１３が後方において折り曲げられ、開口１１が形成され、この状態でケーシング２内に収納される。なお、蓋１３は、例えば、その一部をスライドすることにより、開口１１を形成し得るように構成されていてもよい。これらの場合、廃棄容器１０と蓋１３とにより、廃棄物４００を回収する回収部が構成される。
【００７１】
このような採血針回収装置１には、廃棄容器１０内に回収された廃棄物４００の量、状態等を確認する手段を設けることができる。
【００７２】
かかる手段としては、例えば、ケーシング２から露出する廃棄容器１０の側部（壁部）の少なくとも一部を透明とする方法や、係止部６から落下する廃棄物４００をカウントする装置を設ける方法等が挙げられる。
【００７３】
このような採血針回収装置１を構成する各部の構成材料としては、例えば、次のようなものが用いられる。
【００７４】
チューブ１００の切断時において、血液と接触または血液飛沫が付着する可能性のある部位（部材）、例えば、載置部４、係止部６、シールヘッド７等は、消毒液に強く、防汚性が高くかつ耐熱性に優れる材料が好適である。かかる材料としては、例えば、ステンレス鋼、アルミニウム、ＡＢＳ樹脂、ＡＥＳ樹脂等が挙げられる。
【００７５】
一方、廃棄に供される廃棄容器１０は、例えば、ポリプロピレン、ポリカーボネート、ＡＢＳ樹脂のような樹脂材料等が好適に用いられる。
【００７６】
本実施形態の採血針回収装置１では、ケーシング２内に、係止部６、シールヘッド（切断部）７、スイッチ部８および廃棄容器（回収部）１０が設けられ、チューブ１００の切断操作および廃棄物４００の回収操作がケーシング２内で行われるため、周囲への血液の飛散を確実に防止することができる。また、小型化にも有利である。
【００７７】
なお、採血針回収装置１では、スイッチ部８および廃棄容器１０をケーシング２外に設けるようにしてもよい。すなわち、採血針回収装置１では、係止部６およびシールヘッド（切断部）７のみをケーシング２内に設けるようにしてもよい。かかる構成によっても、周囲への血液の飛散防止効果が十分に発揮される。
【００７８】
さらに、採血針回収装置１では、必要に応じて、ケーシング２自体を省略することもできる。
【００７９】
次に、採血針回収装置１の他の構成例について説明する。
図３に示す採血針回収装置１には、ケーシング２の後壁部内面に、翼付針２００の針先を加熱する加熱手段１４が設けられている。
【００８０】
この加熱手段１４としては、針先を高温（例えば３００〜１３００℃程度）に加熱することができるものであればよく、例えば、バーナー、電気ヒーター、電極を針先に接触させることにより針先の電気抵抗を利用して針先自体を発熱させる機構等で構成することができる。
【００８１】
また、加熱手段１４による翼付針２００の針先の加熱は、シールヘッド（切断部）７によるチューブ１００の切断と同期的に行われるように構成されている。具体的には、加熱と切断とがほぼ同時に、または、切断に先立って加熱が行われるように構成されている。
【００８２】
これにより、少なくとも針先内に残存する血液中の液性成分が蒸発、さらには、固形成分が炭化して、針先の内腔が閉塞されるため、チューブ１００を切断した際に血液が針先の先端から飛散する（漏れ出る）のを防止することができる。
【００８３】
また、血液中に各種疾患を引き起こすウィルス、細菌等の病原体が存在した場合でも、この病原体を不活化または死滅させることができる。このため、廃棄容器１０をケーシング２から取り出した際に、例え、作業者が誤って手や指等を翼付針２００の針先で刺した場合でも、病原体による感染を防止でき、安全性が高い。
【００８４】
なお、加熱手段１４は、翼付針２００の翼３００を係止部６に係止した状態で、図３に示す位置、すなわち、翼付針２００の針先を加熱し得る位置にあればよく、ケーシング２の後壁部内面に固定されていてもよく、移動可能（変位可能）に設けられてもよい。
【００８５】
後者の場合、チューブ１００の先端部を開口部３を介してケーシング２内に挿入する際には、加熱手段１４は、チューブ１００の先端部と干渉しないよう退避した位置（例えば、図３に示す位置よりさらに上方）にあり、別途設けられたセンサにより翼付針２００の翼３００が係止部６に係止されたのを検出して、図３に示す位置に移動する構成とすることができる。
【００８６】
なお、本実施形態では、翼付針２００を備えるチューブ１００を切断する場合について説明したが、本発明の採血針回収装置１は、翼を有さない穿刺針を備えるチューブ１００を切断する場合にも適用可能である。この場合、穿刺針のハブが係止部６に係止されるように構成される。
【００８７】
以上説明したような採血針回収装置１は、採血を行う現場において単独で用いるようにしてもよいが、好ましくは、図４に示すように、採血ベッド２０に組み込んで使用される。
【００８８】
以下、図４に示す採血ベッド２０について説明する。
図４に示すように、採血ベッド２０は、採血ベッド本体２１を有している。
【００８９】
この採血ベッド本体２１は、電動にてそれぞれ変位可能な座部２２と背もたれ部２３とを備え、座部２２と背もたれ部２３とが、ほぼフラット（水平）に位置する状態から、ほぼ垂直に位置する状態まで変位可能となっている。
【００９０】
これにより、ドナー（供血者）が仰臥状態に近い体位から、着座状態に近い体位を取れるようになっている。
【００９１】
このような採血ベッド本体２１の両側には、採血に際して、ドナーが腕を置く腕置き台２４ａ、２４ｂが設けられている。
【００９２】
そして、本実施形態では、各腕置き台２４ａ、２４ｂの下方に、前述したような採血針回収装置１が設けられ、その作動に必要な電力が採血ベッド本体２１側から供給されるようになっている。
【００９３】
このように、腕置き台２４ａ、２４ｂの下方に採血針回収装置１を設けることにより、採血を終了後、直ちに、翼付針２００の回収操作を行うことができるという利点がある。
【００９４】
また、腕置き台２４ａ、２４ｂの下方の部分は、いわゆるデッドスペースであるため、新たに採血針回収装置１を配置してもレイアウト的にも無理がない。
【００９５】
また、採血針回収装置１の作動に必要な電源が採血ベッド本体２１側から供給されるので、採血針回収装置１用に別途電源を確保する必要がなく、献血車等の電源を確保するのが困難な場所でも使用できる。
【００９６】
なお、採血ベッド本体２１は、前記したような座部２２と背もたれ部２３とで構成されるものに変えて、座部と背もたれ部との区別がない構成のもの、すなわち、ほぼ同一の形状の２つの部分がそれぞれほぼ水平状態からほぼ垂直状態まで変位可能とされ、いずれもの部分も座部にも背もたれ部にもなり得る構成のものであってもよい。この場合、腕置き台は、採血ベッド本体２１の一方側にのみ設けられるため、採血針回収装置１の設置数も１つとすることができる。
【００９７】
次に、採血針回収装置１および採血ベッド２０の作用（使用方法）について簡単に説明する。
【００９８】
［１］  まず、採血に際して、ドナーは、採血ベッド２０上に乗り、楽な姿勢を取りつつ、採血を受ける左右いずれか一方の腕を、左右いずれか一方の腕置き台２４ａまたは２４ｂ上に載せる。
【００９９】
［２］  次に、作業者は、翼付針２００をドナーの血管に穿刺し、血液バッグを用いた採血を開始する。
【０１００】
［３］  次に、所定量の採血が完了したら、作業者は、ドナーの腕から翼付針２００を抜去する。
【０１０１】
［４］  次に、作業者は、ドナーの採血を行った腕を乗せた腕置き台２４ａまたは２４ｂの下方に設けられた採血針回収装置１へと翼付針２００をそのまま運び、チューブ１００の切断操作（廃棄物４００の回収操作）を開始する。
【０１０２】
［５］  まず、開口部３を介してチューブ１００の先端部を、翼付針２００が板片６１を超えて位置するまで、ケーシング２内に挿入する。
【０１０３】
［６］  次に、チューブ１００をスリット６１内に位置させ、チューブ１００を前方側に向かってわずかに引きもどす。これにより、翼付針２００の翼３００がスリット６２の縁部に係止される。
【０１０４】
［７］  次に、この状態で、チューブ１００を突起部８２、８２同士の間に位置させ、上面４１に向かって押し下げる。これにより、チューブ１００が突起部８２、８２同士の間に配置されたマイクロスイッチ８１を押下して、マイクロスイッチ８１がオン状態となる。
【０１０５】
［８］  マイクロスイッチ８１がオン状態となると、シールヘッド７の発熱体７１が加熱されるとともに、押圧体７２が発熱体７１に向かって移動する（シールヘッド７が作動する）。これにより、発熱体７１と押圧体７２とにより、チューブ１００が挟持され、熱融着されるとともに、機械的切断手段によりチューブ１００の途中が切断され、血液バッグ本体側のチューブ１００と、先端側の廃棄物４００（翼付針２００付チューブ１００）とに分離される。
【０１０６】
なお、このとき、加熱手段１４が設けられている場合、シールヘッド７によるチューブ１００の切断に同期して、翼付針２００の針先が加熱される。
【０１０７】
［９］  そして、分離された廃棄物４００は、自重により廃棄容器１０に向かって落下して、廃棄容器１０内に回収される。
【０１０８】
以上のようにして、使用済みの翼付針２００の回収操作が終了する。このような一連の操作は、作業者が片手で容易に行うことができるため、作業者は、自由な他方の手で血液バック本体を持つことや、ドナーの腕の穿刺部位に対して止血処置を行うこと等ができ、便利である。
【０１０９】
以上のような作業を繰り返し行い、廃棄容器１０内に廃棄物４００が所定数回収されると、作業者は、廃棄容器１０をケーシング２から取り出し、廃棄容器１０の開口１１を蓋１３で塞いで、廃棄物４００毎、廃棄処理に供する。
一方、採血針回収装置１には、新たな廃棄容器１０が収納される。
【０１１０】
以上、本発明の採血針回収装置および採血ベッドを図示の実施形態に基づいて説明したが、本発明は、これに限定されるものではなく、各部の構成は、同様の機能を発揮し得る任意の構成のものに置換することができ、また、必要に応じて任意の構成を付加することも、任意の構成を省略することもできる。
【０１１１】
例えば、本発明の採血針回収装置は、採血ベッドに組み込んで使用することに限らず、採血装置に組み込んで使用してもよい。
【図面の簡単な説明】
【０１１２】
【図１】本発明の採血針回収装置の実施形態を示す一部破断斜視図である。
【図２】図１に示す採血針回収装置が備える廃棄容器の構成を示す斜視図である。
【図３】本発明の採血針回収装置の他の構成例を示す一部破断斜視図である。
【図４】本発明の採血ベッドの実施形態を模式的に示す斜視図である。
【符号の説明】
【０１１３】
１            採血針回収装置
２            ケーシング
３            開口部
４            載置部
４１          上面
４１１        傾斜面
６            係止部
６１          板片
６２          スリット
７            シールヘッド
７１          発熱体
７２          押圧体
８            スイッチ部
８１          マイクロスイッチ
８２          突起部
９            開口部
１０          廃棄容器
１１          開口
１２          段差部
１３          蓋
１４          加熱手段
２０          採血ベッド
２１          採血ベッド本体
２２          座部
２３          背もたれ部
２４ａ、２４ｂ  腕置き台
１００        チューブ
２００        翼付針
３００        翼
４００        廃棄物
【図１】
2007044443.tif 000003
【図２】
2007044443.tif 000004
【図３】
2007044443.tif 000005
【図４】
2007044443.tif 000006